(57)【要約】      （修正有）【課題】安定した光変調が可能であり、簡単な回路及び少数の構成要素のみを要するものであり、寸法を小さくすることができるとともに製造コストを下げる。【解決手段】輝度を調整するためのシリコン制御位相変調装置を用いた蛍光ランプの電子安定器において、出力ポートを有し地方自治体の交流電源に接続されるフィルタ・整流回路と、出力ポートを有し周波数を制御してスイッチトリガ信号を生成するための集積回路を含む周波数制御・スイッチ回路と、周波数制御・スイッチ回路の出力ポートに接続される入力ポートを有する出力回路と、フィルタ・整流回路の出力ポート及び周波数制御・スイッチ回路の入力ポートに接続される光変調信号処理回路と、フィルタ・整流回路の出力ポートに接続される入力ポート、周波数制御・スイッチ回路の入力ポートに接続される出力ポート、及び出力回路に接続されるフィードバックポートを有する直流高電圧安定回路とを備える。【選択図】図３
2005235761.tif 000002
【特許請求の範囲】
【請求項１】
輝度を調整するためのシリコン制御位相変調装置を用いた蛍光ランプの電子安定器であって、
（i）地方自治体の交流電源と接続されるフィルタ・整流回路と、
（ii）周波数を制御してスイッチトリガ信号を生成する集積回路（ＩＣ）、２つのスイッチトランジスタ（Ｑ１，Ｑ２）、及び対応する抵抗器及びキャパシタを含む周波数制御・スイッチ回路と、
（iii）インダクタ及びキャパシタを含み、入力ポートが前記周波数制御・スイッチ回路の出力ポートに接続される出力回路と、
（iv）前記フィルタ・整流回路の出力ポート及び前記周波数制御・スイッチ回路の入力ポートに接続される光変調信号処理回路と、
（v）前記フィルタ・整流回路の出力ポートに接続される入力ポート、前記周波数制御・スイッチ回路の入力ポートに接続される出力ポート、及び前記出力回路に接続されるフィードバックポートを有する直流高電圧安定回路とを組み合わせて備えたことを特徴とする電子安定器。
【請求項２】
前記周波数制御・スイッチ回路のポート（ＩＣ−６）に接続される出力ポート、及び前記出力回路に接続される入力ポートを有する周波数制御ネガティブフィードバック回路を含むことを特徴とする請求項１に記載の輝度を調整するためのシリコン制御位相変調装置を用いた蛍光ランプの電子安定器。
【請求項３】
前記光変調信号処理回路は分圧器と電圧制御発振器とを含み、前記分圧器は、抵抗器（Ｒ１）、ＮＰＮ型トランジスタ（Ｑ３）、及び抵抗器（Ｒ４）を直列に接続することにより構成され、前記電圧制御発振器は、接続された定電圧放電管（Ｚ２，Ｚ３）、ダイオード（Ｄ８）、抵抗器（Ｒ６，Ｒ７，Ｒ８）、キャパシタ（Ｃ９）、及び前記集積回路（ＩＣ）との接続ポイントで構成されることを特徴とする請求項１又は２に記載の輝度を調整するためのシリコン制御位相変調装置を用いた蛍光ランプの電子安定器。
【請求項４】
前記ＮＰＮ型トランジスタ（Ｑ３）はＮ型電界効果トランジスタ（Ｎ型ＭＯＳＦＥＴ）として用いられることを特徴とする請求項３に記載の輝度を調整するためのシリコン制御位相変調装置を用いた蛍光ランプの電子安定器。
【請求項５】
前記直流高電圧安定回路は、直列接続されたダイオード（Ｄ６，Ｄ７）及びキャパシタ（Ｃ１９）を備え、該キャパシタ（Ｃ１９）の一方のポイントは前記ダイオード（Ｄ６，Ｄ７）間のポイントに接続され、他方のポイントは前記出力回路に接続されることを特徴とする請求項１又は２に記載の輝度を調整するためのシリコン制御位相変調装置を用いた蛍光ランプの電子安定器。
【請求項６】
前記周波数制御ネガティブフィードバック回路は、直列接続の２つのＲＣの並列回路、抵抗器（Ｒ１５）、ダイオード（Ｄ１１），及びツェナーダイオード（Ｚ５）を備え、前記直列接続の２つのＲＣの並列回路は抵抗器（Ｒ１６）／キャパシタ（Ｃ１８）及び抵抗器（Ｒ１７）／キャパシタ（Ｃ１７）を含み、前記周波数制御ネガティブフィードバック回路は、ダイオード（Ｄ１１），ツェナーダイオード（Ｚ５）、抵抗器（Ｒ１７）、及びキャパシタ（Ｃ１７）を含むことを特徴とする請求項１又は２に記載の輝度を調整するためのシリコン制御位相変調装置を用いた蛍光ランプの電子安定器。
【請求項７】
集積回路（ＩＣ）の型はＬ６５７４であることを特徴とする請求項１に記載の輝度を調整するためのシリコン制御位相変調装置を用いた蛍光ランプの電子安定器。
【請求項８】
集積回路（ＩＣ）の型はＵＢＡ２０１４であることを特徴とする請求項１に記載の輝度を調整するためのシリコン制御位相変調装置を用いた蛍光ランプの電子安定器。
【請求項９】
前記フィルタ・整流回路は、フィルタ要素すなわちπ型フィルタ及びブリッジ整流器を備え、前記入力ポートは光変調装置でもって地方自治体の交流電源に接続されることを特徴とする請求項１に記載の輝度を調整するためのシリコン制御位相変調装置を用いた蛍光ランプの電子安定器。
【請求項１０】
前記フィルタ・整流回路は、入力ポートに直接に並列接続される抵抗器（Ｒ１８）、及びキャパシタに直列接続された後に入力ポートに並列接続される抵抗器（Ｒ１９）をさらに備えることを特徴とする請求項９に記載の輝度を調整するためのシリコン制御位相変調装置を用いた蛍光ランプの電子安定器。
【発明の詳細な説明】
【技術分野】
【０００１】
本発明は蛍光ランプ用の光変調装置に関するものであり、特に、安定した輝度に調整し、維持するためのシリコン制御位相変調装置を用いた蛍光ランプ用の電子安定器に関する。
【背景技術】
【０００２】
図１に示されるように、蛍光ランプの光を、一般的なシリコン制御光変調装置を用いる白熱ランプのように変調可能にすることは、常に求められている。しかしながら、蛍光ランプはダイナトロン特性を有する非線形負荷であるため、蛍光ランプに一般的なシリコン制御位相変調装置を適用するのは容易でない。電子安定器技術の向上に伴い、蛍光ランプの輝度調整にシリコン制御位相変調装置を適用することについての研究が、特許文献及び技術誌の両方において報告され、関連製品の開発がなされてきた。それでもなお、光変調能力を安定且つ均一な、ちらつきのないレベルに達するようにするためには、通常、安定器は、多数の構成要素を備えた複雑な回路を有するものとなり、その結果、製造コストが高くなるとともに寸法が大きくなる。よって、この技術を広く応用するのは困難である。一方、回路を単純化すると、変調中にちらつきが生じ、光が不均一になる恐れがある。従って、蛍光ランプの光変調技術を向上させるための、より優れた光変調制御回路を見出すことが望まれる。
【０００３】
輝度を調整するためのシリコン制御位相変調装置を用いた蛍光ランプが、特許文献１に開示されている。この光変調蛍光ランプにおいて位相を変調する光変調は成されているものの、光変調の効果及び能力を高めることは有利である。
【特許文献１】中国特許第ＣＮ０１２６９６７９．Ｘ号公報
【発明の開示】
【発明が解決しようとする課題】
【０００４】
本発明は、従来の安定器の欠点、すなわち、複雑な回路、多数の構成要素、高い製造コスト、かさばる寸法、幅広い適用の困難性、及び頻繁なちらつきと不均一な光変調、を克服するためになされたものであり、輝度を調整するためのシリコン制御位相変調装置を用いた蛍光ランプ用の斬新な電子安定器を提供することを目的とする。
【課題を解決するための手段】
【０００５】
上記目的を達成するために本発明は、輝度を調整するためのシリコン制御光変調装置を用いた蛍光ランプの電子安定器を提供する。本発明による安定器は、
（１）（ａ）地方自治体の交流電源と接続されるフィルタ・整流回路と、（ｂ）周波数を制御してスイッチトリガ信号を生成する集積回路（ＩＣ）、２つのスイッチトランジスタＱ１，Ｑ２、及び対応する抵抗器及びキャパシタを含む周波数制御・スイッチ回路と、（ｃ）インダクタ及びキャパシタを含み、入力ポートが周波数制御・スイッチ回路の出力ポートに接続される出力回路と、（ｄ）フィルタ・整流回路の出力ポート及び周波数制御・スイッチ回路の入力ポートに接続される光変調信号処理回路と、（ｅ）フィルタ・整流回路の出力ポートに接続される入力ポート、周波数制御・スイッチ回路の入力ポートに接続される出力ポート、及び出力回路に接続されるフィードバックポートを有する直流高電圧安定回路とを備え、
（２）周波数制御・スイッチ回路のＩＣ−６に接続される出力ポート、及び出力回路に接続される入力ポートを有する周波数制御ネガティブフィードバック回路を備え、
（３）光変調信号処理回路は分圧器と電圧制御発振器とを含み、分圧器は、抵抗器Ｒ１、ＮＰＮ型トランジスタＱ３、及び抵抗器Ｒ４を直列に接続することにより構成され、電圧制御発振器は、接続された定電圧放電管Ｚ２，Ｚ３、ダイオードＤ８、抵抗器Ｒ６，Ｒ７，Ｒ８、キャパシタＣ９で構成され、集積回路（ＩＣ）のポートＩＣ−７に接続され、
（４）上述した直流高電圧安定回路は、直列接続されたダイオードＤ６，Ｄ７及びキャパシタＣ１９で構成され、キャパシタＣ１９の一方のポイントはダイオードＤ６，Ｄ７間のポイントに接続され、他方のポイントは出力回路に接続され、
（５）周波数制御ネガティブフィードバック回路は、直列接続の２つのＲＣの並列回路、Ｒ１５、ダイオードＤ１１，及びツェナーダイオードＺ５で構成され、直列接続の２つのＲＣの並列回路はそれぞれＲ１６／Ｃ１８及びＲ１７／Ｃ１７を含み、ランプ電流ネガティブフィードバック回路は、ダイオードＤ１１，ツェナーダイオードＺ５、抵抗器Ｒ１７、及びキャパシタＣ１７を含み、
（６）集積回路（ＩＣ）はＬ６５７４型等である。
【０００６】
本発明の電子安定器は、３つの簡単な回路及び少数の構成要素のみを要するものであるため、寸法を小さくすることができるとともに、製造コストを下げることができる。本発明の安定器は、安定した光変調が可能であり、特に一体型及び小型蛍光ランプに容易且つ広範囲に適用することができる。
【０００７】
本発明の更なる目的及び利点は、添付図面において概略的に示される現時点での好ましい実施形態についての以下の詳細説明から理解されるであろう。
【発明を実施するための最良の形態】
【０００８】
図２及び図３を参照すると、本発明の電子安定器は、フィルタ・整流回路１と、周波数制御・スイッチ回路２と、出力回路３と、光変調信号処理回路４と、直流高電圧安定回路５とを含む。
【０００９】
フィルタ・整流回路１は、フィルタ要素すなわちπ型フィルタ及びブリッジ整流器を備えている。入力ポートは、光変調装置を介して、地方自治体の交流電源に接続され、これにより、高周波妨害が除去され、入力された交流電圧は直流パルス電圧に変えられる。図６に示されるように、フィルタ・整流回路は、入力ポートに直接に並列接続された抵抗器Ｒ１８と、キャパシタに直列接続された後に入力ポートに並列接続された抵抗器Ｒ１９とをさらに備えてもよい。適切な抵抗器及びキャパシタを選択することにより、光変調効果が高まり、よって、シリコン制御位相変調装置の光変調可能な蛍光ランプへの適用性を増すことができる。
【００１０】
周波数制御・スイッチ回路２は、周波数を制御し、スイッチトリガ信号を生成するＬ６５７４型等の集積回路ＩＣを含む。入力ポートＶＳは、抵抗器Ｒ３を介してフィルタ・整流回路１の出力ポートに接続され、ＩＣに動作電圧を供給する。スイッチトランジスタＱ１，Ｑ２は２つの電界効果トランジスタで構成され、それらに対応する抵抗器及びキャパシタ要素は制御可能な高周波高電圧を生成するために適用され、入力ポートは後述する直流高電圧安定回路５の出力ポートに接続される。
【００１１】
出力回路３は、インダクタ及びキャパシタを備えている。出力回路３の入力ポートと周波数制御・スイッチ回路２の出力ポートＯＵＴとを接続することにより共振が生じ、蛍光ランプのフィラメントを加熱して蛍光ランプの正常動作を可能にする。
【００１２】
光変調信号処理回路４は本発明の新規な特徴である。当該回路は、フィルタ・整流回路１の出力ポートと、周波数制御・スイッチ回路２の別の入力ポートＩＣ−７に接続される。その結果、ＩＣの光変調周波数制御電圧が低くなるにつれて、ＩＣの動作効率が高くなる。光変調信号処理回路４は、抵抗器Ｒ１、ＮＰＮ型トランジスタＱ３、及び抵抗器Ｒ４が直列接続された構成の分圧器と、定電圧放電管Ｚ２，Ｚ３、ダイオードＤ８、抵抗器Ｒ６，Ｒ７，Ｒ８、及びキャパシタＣ９から成るとともに集積回路（ＩＣ）のポートＩＣ−７に接続される電圧制御発振器とで構成される。この分圧器を備えたことにより、急に非線形に変化する光変調位相角と光変調周波数制御電圧との所望の関係を提供することが可能になる。光変調信号処理回路４のサンプリングポイントＢはフィルタ・整流回路１の出力ポートに接続され、直流パルス電圧を示す。この電圧の実質的な値は、シリコン制御位相変調装置の光変調位相角に反比例する、すなわち、位相角が大きくなるほど、電圧の実質的な値は低くなることは明白である。回路処理によって、位相角が大きいほど周波数制御による出力電圧は低くなり、周波数制御による低い光変調電圧が集積回路ＩＣに入り、その結果、ＩＣ動作周波数が高くなる。光変調は、位相角の変化に伴う、蛍光ランプの動作周波数の対応する変化に基づいて達成されることが示される。位相角と、周波数制御による光変調電圧との関係曲線を理想的な状態にするために、回路の分圧器にはＮＰＮ型トランジスタが用いられる。例えば、ＮＰＮ型トランジスタＱ３のベースがバイアス抵抗Ｒ２に接続されると、ポイントＢの電圧に対して非線形に変化する抵抗が提供され、抵抗器で必要とされる急な変化を伴い、ちらつきのない均一で安定した光変調が得られる。
【００１３】
ＮＰＮ型トランジスタの他、図７に示されるように、光変調信号処理回路４においてＮ型電界効果トランジスタ（Ｎ型ＭＯＳＦＥＴ）をＱ３として用いてもよい。抵抗器Ｒ１、電界効果トランジスタＱ３、及び抵抗器Ｒ４が直列接続された構成の分圧器を用いると、光変調位相角と光変調周波数制御電圧との急に非線形に変化する望ましい関係を得ることが可能になり、光変調を理想的な状態にすることができる。図８に示される別の実施形態においては、光変調信号処理回路４は、抵抗器Ｒ２２、Ｎ型ＭＯＳＦＥＴＱ３、及び抵抗器Ｒ２４が直列接続された構成の分圧器と、定電圧放電管Ｚ２，Ｚ３、ダイオードＤ７、抵抗器Ｒ２５，Ｒ２６，Ｒ２７、及びキャパシタＣ１０から成る電圧制御発振器とで構成され、さらに、集積回路ＩＣ（ＵＢＡ２０１４型等）の接続ポートＩＣ−７及びＩＣ−１５に接続される。光変調信号処理回路４は、蛍光ランプの光変調中の動作状態を安定させてちらつきをなくし、光変調効果を向上させることができる。
【００１４】
安定した直流高電圧を供給するために、直流高電圧安定回路５の入力ポートはフィルタ・整流回路１の出力ポートに接続され、後者の出力ポートはまた、周波数制御・スイッチ回路２に接続される。フィードバックポートは出力回路３に接続され、それにより、出力回路３の高周波電気エネルギーは直流高電圧安定回路５のキャパシタにフィードバックされる。直流高電圧安定回路５は、直列接続されたダイオードＤ６及びＤ７と、ポイントの一方がダイオードＤ６及びＤ７間のポイントに接続されたキャパシタＣ１９とから構成される。出力回路に接続することにより、Ｃ１４の一方のポイントから高周波エネルギーが得られ、Ｃ１９を通った高周波エネルギーはＤ６で整流されてキャパシタＣ４に入り、よって、ランプのちらつきをなくす。
【００１５】
別の実施形態においては、本発明の電子安定器は周波数制御ネガティブフィードバック回路６をさらに含む。その出力ポートを周波数制御・スイッチ回路２のＩＣ−６に接続し、入力ポートを出力回路に接続することにより、蛍光ランプの電流が変調と共に急激に減少するとき、ランプ電流の減少信号が周波数制御により集積回路ＩＣにネガティブフィードバックされる。周波数制御ネガティブフィードバック回路６は、直列接続された２つのＲＣの並列回路（すなわちＲ１６／Ｃ１８及びＲ１７／Ｃ１７）、Ｒ１５、ダイオードＤ１１、及びツェナーダイオードＺ５を備える。Ｒ１５、Ｒ１６、Ｒ１７、Ｃ１７及びＣ１８から成る回路は、集積回路ＩＣが必要とする閾電圧に達するようにＩＣ−６に電圧を供給する。ランプ電流ネガティブフィードバック回路はダイオードＤ１１、ツェナーダイオードＺ５、Ｒ１７、及びＣ１７で構成される。抵抗器Ｒ１５で、回路６は集積回路のＩＣ−ＶＳ及びＩＣ−１０に接続している。周知のように、ランプ電流が変調によって急激に減少した時にちらつきが生じる。従って、ランプ電流の減少信号を周波数制御されたＩＣにネガティブフィードバックすることで、ちらつきを避けることができる。
【００１６】
本発明はシリコン制御位相変調装置を用いた蛍光ランプ用電子安定器に関するものである。一体の蛍光ランプとして蛍光管と組み合わせてもよいし、独立した電子安定器として、蛍光ランプに接続した後に機能するようにしてもよい。安定器が一体型であっても独立型であっても、光変調を達成するには、図１に示されるようにシリコン制御位相変調装置に接続する必要がある。
【００１７】
本発明は周波数変調する光変調を提供する。ランプチューブを動作させるためのバラスト機能を提供するには、大電流により蛍光ランプを焼損させるのを避けるため、蛍光ランプの動作回路にバラストインダクタを設ける必要がある。インダクタのインダクタンスは動作周波数が増加するにつれて増加し、これにより、ランプチューブを流れる電流が減少し、それに応じてランプの光束が減少してランプの明度を変調する。
【００１８】
シリコン制御位相変調装置を用いた蛍光ランプの光変調の特殊技術として、最大の問題は、光変調が中期及び後期に入るとき、特に蛍光ランプがほとんど消されるときに、蛍光ランプがちらつくことである。実践及び総合分析に基づき、ちらつきは、（１）周波数を変調する光変調モードを利用するとき、直流高電圧が非常に低いレベルに減少するため、光変調の後期においてランプが安定した放電を維持するのは困難であること（２）蛍光ランプは特殊な非線形負荷であるため、輝度を調整するために蛍光ランプがシリコン制御位相変調装置と組み合わされているとき、電子安定器に入力される電圧波形は深刻な歪みを示し、光変調の中期及び後期においてはジャンピング歪みを示しさえすること、に起因することが分かった。従って、ランプチューブへの不安定な電力供給により、ちらつきが生じる。上記分析及び実践に基づき、３つの技術的方策が解決法として用いられる。第１の解決法は、光変調位相角と光変調周波数制御電圧との変化関係をなだらかな変化から急な変化に変える、すなわち、位相角が増大するに伴って光変調周波数制御電圧がより急激に低下するようにすることである。これにより、動作周波数がより急速に増加してランプの電流をより減少させ、よって電源負荷を軽減するが、直流高電圧は少ししか減少しない。その結果、比較的高い直流電圧が維持される。第２の解決法は、高周波エネルギーフィードバックにより電子安定器の直流高電圧を安定化することで、光変調の直流高電圧をある程度の補償により増大させることである。第３の解決法は、光が過度に急速に変調されている時のランプ電流の急激な減少に因る共振により発生するちらつきを避けるために設けられた周波数ネガティブフィードバック回路によって、ランプのちらつきを防止できることである。
【００１９】
上記３つの解決法を実現し、ランプのちらつきのない良好な光変調を得るために、本発明においては３つの特別な回路を用いている。第１の特別な回路は、光変調位相角と光変調周波数制御電圧との理想的な関係曲線を得るために用いられる光変調信号処理回路４である。周知のように、制御可能な位相変調光変調装置を介して蛍光ランプに伝達される入力電圧の波形は位相角の正接の形になるため、位相角の正接の値が大きくなるにつれて、光変調位相角が増大しても、蛍光ランプに伝達される実質的な電圧は低くなる。従って、光変調位相角は入力される実質的な電圧に反比例する。高周波がフィルタリングされて整流された後（図３の１参照）、ポイントＢでの入力電圧は入力電圧の波形と同じ形を持つが、正のみであり、入力電圧の２倍の高さとなる。Ｂは光変調信号のサンプリングポイントであり、Ｂの実質的な電圧は光変調位相角に反比例する。Ｒ１、Ｑ３及びＲ４で、電気信号は分圧器になる。バイアス抵抗Ｒ２に接続されたＮＰＮ型トランジスタＱ３はポイントＢの電圧に対して非線形に変化する抵抗を形成する。従って、この抵抗における急な変化が必要とされる。抵抗器Ｒ４で分圧された電圧は、キャパシタＣ６でフィルタリングされて直流電圧として変えられ、その後、Ｚ２、Ｒ６、Ｄ８、Ｒ７、Ｚ３、Ｒ８、Ｃ９から成る電圧制御発振器及びＩＣに入り、光変調周波数制御電圧と対応する周波数を生成し、周波数変調を達成する。周波数制御電圧はポイントＢでの実質的な電圧値に比例する、すなわち、周波数制御電圧は位相変調角に反比例することは知られている。つまり、位相角が大きくなるほど、周波数制御電圧は低くなり、その結果、ＩＣ動作効率が高くなり、蛍光ランプに対する周波数を変える光変調が達成される。
【００２０】
図３に示されるような電子安定器回路に設置された１５Ｗの蛍光ランプに対する周波数変調の特性を分析する。図４は、光変調信号処理回路において非線形抵抗としてのＮＰＮ型トランジスタを用いたときの、光変調位相角と周波数制御による光変調電圧（ライン１）及び光変調位相角と直流高電圧（ライン２）の曲線関係を示している。光変調信号処理回路４における非線形に変化する抵抗としてのＮＰＮ型トランジスタＱ３の機能を調べるために、ＮＰＮ型トランジスタＱを一般的な線形抵抗に取り替える（位相角２３度）。その結果は図５に示されている。図４においては、ランプがほとんど消される位相角１３０度のとき、周波数制御電圧は０．２Ｖ（図３のポイントＭ）であるのに対して直流高電圧は１９０Ｖと高くなっている。これに対し、光変調信号処理回路に一般的な線形抵抗を用いたときの光変調位相角と周波数制御による光変調電圧及び直流高電圧の曲線関係を示した図５においては、ランプがほとんど消される位相角１２０度で、周波数制御電圧は０．９Ｖと依然として高い値であるのに対して直流高電圧は１１０Ｖまで低下し、ランプのちらつきが生じる。この場合のちらつきは、直流高電圧の急激な低下に伴ってランプの燃焼点を維持できなくなることに起因する。さらに、光変調周波数制御電圧が高いために生じる動作周波数の低下により、放電を維持し難くなり、ランプのちらつきの原因となる。上記分析から、回路に非線形抵抗としてのＮＰＮ型トランジスタＱ３を適用することにより、ランプのちらつきを防止する効果があることが分かる。光変調周波数制御電圧の曲線をより適切なものにするために、図３のＲ２、Ｒ１及びＲ４を調整することが必要である。
【００２１】
第２の特別な回路はＣ１９、Ｄ６及びＤ７から成る直流高電圧安定回路である。キャパシタＣ１４（図３参照）の一方のポイントから出る高周波フィードバックエネルギーは、Ｄ６で整流されて電解キャパシタＣ４にエネルギーを供給する。エネルギーフィードバック量を適切に調整（すなわち、キャパシタＣ１９のキャパシタンスを調整）して電解キャパシタの分圧された電圧が光変調によって過度に急速に低下するのを防ぐことにより、蛍光ランプのちらつきを抑制することができる。これにより、直流高電圧が安定する。
【００２２】
第３の特別な回路は周波数制御ネガティブフィードバック回路６である。光変調が過度に急速に行われたときの急激な周波数変化によって蛍光ランプがちらつくのを防ぐにはネガティブフィードバックを用いることが適している。この回路においては、フィードバック信号のサンプリングはランプチューブを通る電流の急な変化から得られる。電流変化は電圧変化に変えられてＩＣに伝達され、周波数変化によるネガティブフィードバックをもたらす。図３に示されるように、ランプ電流はＤ１１、Ｃ１７、Ｒ１７及びＺ５を流れ、電流値に対応する直流電圧値がＲ１７で形成される。ＩＣに適合する所要の閾電圧はＲ１５、Ｒ１６、Ｒ１７及びＣ１７，Ｃ１８で構成される。従って、ＩＣへ上記２つの電圧を重畳することで、周波数制御ネガティブフィードバックを達成することが可能である。
【００２３】
以上、実用的と考えられる本発明の実施形態又は変更の一部を様々な表現で説明、開示、及び図示してきたが、それにより本発明の範囲が限定されることを意図するものではなく、そのように判断されるべきものではない。ここに示された教示に示唆され得るような他の変更又は実施形態を、付記される請求項の広さ及び範囲内において、特に留保するものとする。
【図面の簡単な説明】
【００２４】
【図１】シリコン制御位相変調装置を用いた蛍光ランプの光変調のための回路接続を示す概略図。
【図２】本発明による、輝度を調整するためのシリコン制御位相変調装置を用いた蛍光ランプ用の電子安定器の回路フローチャート。
【図３】本発明による、輝度を調整するためのシリコン制御位相変調装置を用いた蛍光ランプ用電子安定器の回路図。
【図４】光変調信号処理回路に非線形抵抗としての三極管を使用した場合の、光変調位相角と周波数制御による光変調電圧（ライン１）及び光変調位相角と直流高電圧（ライン２）の曲線関係を示した図。
【図５】光変調信号処理回路に一般的な線形抵抗を使用した場合の、光変調位相角と周波数制御による光変調電圧（ライン１）及び光変調位相角と直流高電圧（ライン２）の曲線関係を示す図。
【図６】本発明の別の実施形態による、輝度を調整するためのシリコン制御位相変調装置を用いた蛍光ランプ用電子安定器のフィルタ・整流回路を示す図。
【図７】本発明の別の実施形態による、輝度を調整するためのシリコン制御位相変調装置を用いた蛍光ランプ用電子安定器の光変調信号処理回路を示す図。
【図８】本発明のさらに別の実施形態による、輝度を調整するためのシリコン制御位相変調装置を用いた蛍光ランプ用電子安定器の光変調信号処理回路を示す図。
【符号の説明】
【００２５】
１  フィルタ・整流回路    
２  周波数制御・スイッチ回路
３  出力回路
４  光変調信号処理回路
５  直流高電圧安定回路
６  周波数制御ネガティブフィードバック回路
【図１】
2005235761.tif 000003
【図２】
2005235761.tif 000004
【図３】
2005235761.tif 000005
【図４】
2005235761.tif 000006
【図５】
2005235761.tif 000007
【図６】
2005235761.tif 000008
【図７】
2005235761.tif 000009
【図８】
2005235761.tif 000010